(57)【要約】【課題】一つの照光板に複数色の表示色を選択的に表示させることができ、しかも箱体の側面からでも表示色を明瞭に認識できる表示装置を提供する。【解決手段】箱体１の前面部２に配置され、前方に突出すると共に、後端が開口している中空で乳白色の照明板３と、箱体１の内部に配置された配線板上に取り付けられ、前記照明板の後端開口に略臨む領域に配置された照明用光源部とを有し、前記照明用光源部は、それぞれ色が異なる発光素子を対を成して近接配置したものを複数群設け、複数色の発光素子に対し、同色の発光素子を選択的に発光させる。【選択図】図１
2007114310.tif 000002
【特許請求の範囲】
【請求項１】
箱体の前面部に配置され、前方に突出すると共に、後端が開口している中空で乳白色の照明板と、前記箱体の内部に配置された配線板上に取り付けられ、前記照明板の後端開口に略臨む領域に配置された照明用光源部とを有し、前記照明用光源部は、それぞれ色が異なる発光素子の対を近接配置したものを複数群設け、複数色の発光素子に対し、同色の発光素子を選択的に発光させることを特徴とする表示装置。
【請求項２】
同色の発光素子を選択的に発光させる際、全ての発光素子を同時に発光させ、または点滅させることを特徴とする請求項１に記載の表示装置。
【請求項３】
請求項１または２に記載の表示装置を有し、トルクレンチからの信号に基づいて締結部品の締め付け合否判定を行い、判定結果を前記表示装置に表示させることを特徴とする検査装置。
【発明の詳細な説明】
【技術分野】
【０００１】
本発明は、回路基板を収容した箱体の前面に設けた乳白色の照光面に複数色の照明光を選択的に表示させる表示装置およびこの表示装置を備えた検査装置に関する。
【背景技術】
【０００２】
発光ダイオード（ＬＥＤ）からの光を受けて照光面を光らせる表示装置としては、照光面を平板状に形成したものが提案されている（特許文献１）。
【０００３】
このような表示装置は、照光面をなす照光板を箱体の前面に位置させ、通常状態の表示用では照光板を白色あるいは青色、緑色に着色され、また警告状態の表示用では照光板を赤色に着色したものを使用している。
【特許文献１】特開平０５−００２９０２号公報
【発明の開示】
【発明が解決しようとする課題】
【０００４】
従来の表示装置にあっては、照光板を平板状に形成しているため、表示状態を確認するには、表示装置の取り付けられている箱体を正面から見るのが最も明瞭に認識でき、真横からでは認識することができなかった。特に、色表示により検査結果の合否判定を表示する検査装置にあっては、判定結果を迅速に確認し、次の検査に着手することが望まれている。
【０００５】
また、一枚の照光板からは一色の表示しかできないため、複数色の表示を行うには、表示色の分だけ照光板を必要としていた。
【０００６】
本発明の目的は、このような観点に鑑み為されたもので、一つの照光面をなす照光板に複数色の表示色を選択的に表示させることができ、しかも箱体の側面からでも表示色を明瞭に認識できる表示装置およびこの表示装置を備えた検査装置を提供する。
【課題を解決するための手段】
【０００７】
本発明の目的を実現する表示装置の構成は、請求項１に記載のように、箱体の前面部に配置され、前方に突出すると共に、後端が開口している中空で乳白色の照明板と、前記箱体の内部に配置された配線板上に取り付けられ、前記照明板の後端開口に略臨む領域に配置された照明用光源部とを有し、前記照明用光源部は、それぞれ色が異なる発光素子の対を近接配置したものを複数群設け、複数色の発光素子に対し、同色の発光素子を選択的に発光させることを特徴とする。
【０００８】
上記構成において、同色の発光素子を選択的に発光させる際、全ての発光素子を同時に発光させ、または点滅させることを特徴とする。
【０００９】
本発明の目的を実現する検査装置の構成は、請求項３に記載のように、上記構成の表示装置を有し、トルクレンチからの信号に基づいて締結部品の締め付け合否判定を行い、判定結果を前記表示装置に表示させることを特徴とする。
【発明の効果】
【００１０】
本発明の表示装置によれば、一つの表示板に対して複数色の表示を選択的に行え、しかも箱体の前面部から前方に突出している照明板はその前面が略一様に照明されるので、箱体の側面からも明瞭に照明板の照明色、照明状態を認識することができる。
【００１１】
また、上記の引用文献１のように、発光素子と表示板とが一体化しておらず、表示板を箱体の前面部に配置し、発光素子を配線板に取り付けているので、表示装置がシンプルな構造とすることができる。
【００１２】
一方、本発明の検査装置によれば、トルクレンチによりボルト等の締結部品が締付け忘れなく締め付けられているかを作業者の作業位置にかかわらず迅速に認識することが可能となる。
【発明を実施するための最良の形態】
【００１３】
以下本発明を図面に示す実施の形態に基づいて説明する。
【００１４】
図１は本発明による表示装置の外観斜視図、図２は図１の箱体内に収容された回路基板上の表示灯の平面図、図３は図１の側面図を示す。
【００１５】
図１及び図３において、１は箱体で、前面部２は開閉できるようになっている。この前面部２には、先端部が丸く尖った球状型で内部が中空の乳白色に形成された照明板３が不図示のナット部材により取り付けられている。この照明板３は、箱体１の前面部２よりも前方に突出し、内周面には複数の円環部が同心円状に前後方向に沿って多段に形成され、この各円環部が導光手段として機能し、照明板３を全体的に照らし出すようになっている。
【００１６】
この箱体１の内部には、図２に示すプリント配線板４が取り付けられており、プリント配線板４は、回路素子実装部５と、照明光源部６とを備えており、この照明光源部６は、照明板３の後端開口に対向する位置に配置されている。
【００１７】
本実施の形態の照明用光源部６は、チップ型の赤色発光ダイオード（ＬＥＤ）６Ｒとチップ型の緑色発光ダイオード（ＬＥＤ）６Ｇとを対を成して近接配置し、この一対のＬＥＤを４行２列に並べて構成されている。
【００１８】
そして、回路素子実装部５の緑色ＬＥＤドライバ（不図示）が緑色ＬＥＤ６Ｇの発光を指示すると、全ての緑色ＬＥＤ６Ｇが発光する。全ての緑色ＬＥＤ６Ｇは、照明板３の後端開口に略臨む領域内に略配置されているので、各緑色ＬＥＤ６Ｇの発光光が照明板３内を一様に照明し、導光手段として機能する円環部を通して照明板３が全体的に略一様の輝度で青色に照明される。また、回路素子実装部５の赤色ＬＥＤドライバ（不図示）が赤色ＬＥＤ６Ｒの発光を指示すると、全ての赤色ＬＥＤ６Ｒが発光する。この場合も緑色ＬＥＤ６Ｇの全灯を点灯させた場合と同様に、照明板３が全体的に略一様の輝度で赤色に照明される。
【００１９】
このように、対をなす緑色ＬＥＤ６Ｇと赤色ＬＥＤ６Ｒとを照明板３の後端開口に略臨む領域内に複数組配置することにより、一つの照明板３に赤色と緑色の表示を選択的に表示させることができるので、従来のように、各色毎に専用の表示を行う照明板を設ける必要がなくなり、制御ボックスなどとして用いられる箱体の前面に他のランプ類、スイッチ、表示器、端子類等をより多く実装することが可能となった。
【００２０】
本実施の形態では、図３に示すように、照明板３は箱体１の前面部２よりも前方に突出し、しかも照明板３は全体が照明されるため、箱体１の前面からだけでなく、側方からも照明光を認識できる。ところで、このような形状の照明板３を２個並設し、一方を赤色、他方を緑色に照明するようにした場合、一方の側方からは片方の照明板しか見えないのに対し、本実施の形態では、表示色を示す手段である照明板３は１つだけ前面部２に配置されているので、どちらの側方からも照明板３を見ることができ、しかも緑色の表示であること及び赤色の表示であることを確認することができる。
【００２１】
なお、回路素子実装部５の前記赤色ＬＥＤドライバおよび緑色ドライバは共に全ての赤色ＬＥＤ、緑色ＬＥＤを同時に連続点灯させるようにしているが、点滅表示させることもできる。また例えば赤色ＬＥＤを点滅表示させることにより、緑色と赤色との識別が困難な盲障害者も赤色であることを認識することができる。
【００２２】
このような表示装置は、機器類の制御盤に使用することができ、また例えば自動車の製造ラインにおいて、ボルトの締め付けをチェックする検査装置として使用される。
【００２３】
検査装置として使用する場合としては、ボルトを設定したトルク値で締め付けを行うトルクレンチと有線または無線により接続され、所定の締め付けトルクでの締付が行われるとトルクレンチからＯＮ信号が出力されるので、当該ボルトは適正トルクで締め付けられたと判定し、合格判定を示す緑色表示を行う。一つの部位、例えば自動車のドアに対して締め付けるべきボルト数は決められているので、一つのボルトの締付が行われると、図１に示す表示器７には設定ボルト本数の数値が一本ずつ減らされる。そして、所定時間内にトルクレンチからＯＮ信号が入らない場合には、締め付け忘れがあるとして、警告のために赤色表示を行わせる。このような自動車製造ラインにおいて、作業者は検査装置を正面からではなく、側面方向から見ることが多いため、従来では合否判定の確認に手間取ったりすることがあるが、本実施の形態では、作業位置から明瞭に合否判定を確認することができる。
【図面の簡単な説明】
【００２４】
【図１】本発明の表示装置をボルトの締め付けをチェックする検査装置に適用した実施の形態を示す外観斜視図。
【図２】図１の箱体内に収容された回路基板上の表示灯の平面図。
【図３】図１の側面図。
【符号の説明】
【００２５】
１  箱体
２  前面部
３  照明板
４  プリント配線板
５  回路素子実装部
６  照明光源部
６Ｇ  緑色発光ダイオード（ＬＥＤ）
６Ｒ  赤色発光ダイオード（ＬＥＤ）
７  表示器
【図１】
2007114310.tif 000003
【図２】
2007114310.tif 000004
【図３】
2007114310.tif 000005